(57)【要約】      （修正有）【課題】冷凍サイクル装置の膨張弁において、ニードル弁の弁座の内周面に形成される隙間流路に発生する騒音や壊食の原因となる流体の剥離を抑制できること。【解決手段】制御弁において、弁体の他端２６ＥＢにおける円錐面２６Ｅ３と円錐面２６Ｅ４とが交わる部分には、円弧状の断面を有する凹部２６Ｒ１が環状に形成されるとともに、円錐面２６Ｅ２と他端２６ＥＢの外周面とが交わる部分には、略Ｖ字状の断面を有する凹部２６Ｅ１が環状に形成されており、一方、弁体２６の他端２６ＥＢの先端部に向かい合う弁座３０Ｖの平坦面と湾曲面３０Ｅ２の一方の端部とが交わる部分には、略Ｖ字状の断面を有する凹部３０Ｅ１が、流路３０Ｖａの中心軸線の回りに環状に形成されており、湾曲面３０Ｅ２の他方の端部と内周面３０Ｅ４との交わる部分に、円弧状の断面を有する凹部３０Ｒ１が、流路３０Ｖａの中心軸線の回りに環状に形成されているもの。【選択図】図１
2015143543.tif 000002
【特許請求の範囲】
【請求項１】
第１の通路に接続される第１のポートと、第２の通路に接続される第２のポートとを有し、該第１のポートおよび該第２のポートに連通し、該第２のポートを開閉制御する弁体を含んでなる弁体ユニットを移動可能に収容する収容部を備える弁本体部と、
前記弁体ユニットに、前記弁体の先端部と前記第２のポートの周縁との間を通過する流体の流量を調整するように、前記第２のポートを開閉制御する動作を行わせる弁体ユニット駆動機構と、を備え、
前記弁体の先端部に向き合う前記第２のポートを形成する壁面、または、前記第２のポートの周縁を形成する弁座の流路の横断面における複数の湾曲面のうち少なくとも二つの湾曲面が互いに交わる部分に、前記流体の渦が内側に生じる凹部が形成されることを特徴とする制御弁。
【請求項２】
前記弁体の先端部を形成する複数の円錐面のうち少なくとも二つの円錐面が互いに交わる部分に、前記流体の渦が内側に生じる凹部が形成されることを特徴とする請求項１記載の制御弁。
【請求項３】
前記凹部は、円弧状の断面を有することを特徴とする請求項１または請求項２記載の制御弁。
【請求項４】
前記凹部は、略Ｖ字状の断面を有することを特徴とする請求項１または請求項２記載の制御弁。
【請求項５】
前記第２のポートの周縁を形成する弁座の流路の横断面における少なくとも一つの拡大面の両端に、それぞれ、前記凹部が形成されることを特徴とする請求項１または請求項２記載の制御弁。
【請求項６】
前記第２のポートの周縁を形成する弁座の流路の横断面における複数の拡大面が交差する部分に前記凹部が形成されることを特徴とする請求項２記載の制御弁。
【発明の詳細な説明】
【技術分野】
【０００１】
本発明は、制御弁に関する。
【背景技術】
【０００２】
冷凍サイクル装置においては、膨張弁としてニードル弁が、凝縮器と蒸発器との間に配されている。膨張弁においては、例えば、特許文献１の段落［００２２］および図５にも示されるように、弁座の内周縁とニードルとによって形成される隙間流路のオリフィス入口で、流れの剥離が、発生する。この剥離流れの発達と消滅との変動、あるいは、剥離流れそのものが、膨張弁において騒音の原因となる。また、オリフィス入口で渦が発生した場合、一連の渦の挙動により発泡点が変動するので騒音の原因となる圧力変動が生じる。このような場合、騒音レベルを低減すべく、ニードル先端部とオリフィス入口部とのなす角度を６０°以下に設定することが提案されている。さらに、ニードル弁は、例えば、特許文献２にも示されるように、気泡が消滅するとき、衝撃力により生じる騒音を確実に抑制すべく、弁体の外周面同士のなす角度αが、弁座の弁口におけるポート部の内面同士の角度β以上で、かつ、これらの角度の差（α―β）が１０°以下となるように構成されることが提案されている。
【先行技術文献】
【特許文献】
【０００３】
【特許文献１】特開２００７−３２９７９号公報
【特許文献２】特開２００８−２９１９２８号公報
【発明の概要】
【発明が解決しようとする課題】
【０００４】
しかしながら、上述のような隙間流路を形成する弁座の壁面、あるいは、ニードル弁の外周面において、角部が形成されている場合、その角部で流体の剥離が発生することにより、流体の剥離と再付着とが発生するので騒音や壊食の原因となる虞がある。
【０００５】
また、近年、地球温暖化対策として、ＣＯ２冷媒、Ｒ４１０ａなどの温暖化係数の低い冷媒が使用されるようになってきた。これらは、既存の冷媒より高圧であるためオリフィスにおいて流速が高速となるので流体の流れによる騒音が顕在化し易くなってきた。
【０００６】
以上の問題点を考慮し、本発明は、制御弁であって、弁座の内周面に形成される隙間流路に発生する騒音や壊食の原因となる流体の剥離を抑制できる制御弁を提供することを目的とする。
【課題を解決するための手段】
【０００７】
上述の目的を達成するために、本発明に係る制御弁は、第１の通路に接続される第１のポートと、第２の通路に接続される第２のポートとを有し、第１のポートおよび第２のポートに連通し、第２のポートを開閉制御する弁体を含んでなる弁体ユニットを移動可能に収容する収容部を備える弁本体部と、弁体ユニットに、弁体の先端部と第２のポートの周縁との間を通過する流体の流量を調整するように、第２のポートを開閉制御する動作を行わせる弁体ユニット駆動機構と、を備え、弁体の先端部に向き合う第２のポートを形成する壁面、または、第２のポートの周縁を形成する弁座の流路の横断面における複数の湾曲面のうち少なくとも二つの湾曲面が互いに交わる部分に、流体の渦が内側に生じる凹部が形成されることを特徴とする。
【０００８】
また、弁体の先端部を形成する複数の円錐面のうち少なくとも二つの円錐面が互いに交わる部分に、流体の渦が内側に生じる凹部が形成されてもよく、凹部は、円弧状の断面を有するものでもよく、略Ｖ字状の断面を有するものでもよい。第２のポートの周縁を形成する弁座の流路の横断面における少なくとも一つの拡大面の両端に、それぞれ、凹部が形成されてもよく、さらに、第２のポートの周縁を形成する弁座の流路の横断面における複数の拡大面が交差する部分に凹部が形成されてもよい。
【発明の効果】
【０００９】
本発明に係る制御弁によれば、弁体の先端部に向き合う第２のポートを形成する壁面、または、第２のポートの周縁を形成する弁座の流路の横断面における複数の湾曲面のうち少なくとも二つの湾曲面が互いに交わる部分に、流体の渦が内側に生じる凹部が形成されるので弁座の内周面に形成される隙間流路に発生する騒音や壊食の原因となる流体の剥離を抑制できる。
【図面の簡単な説明】
【００１０】
【図１】本発明に係る制御弁の第１実施例の要部を部分的に拡大して示す部分断面図である。
【図２】本発明に係る制御弁の第１実施例の構成を概略的に示す部分断面図である。
【図３】図１に示される例における一部を拡大して示す部分断面図である。
【図４】本発明に係る制御弁の第２実施例の要部を部分的に拡大して示す部分断面図である。
【発明を実施するための形態】
【００１１】
図２は、本発明に係る制御弁の第１実施例を、配管用パイプとともに示す。
【００１２】
図２において、制御弁は、例えば、空調装置における凝縮器と蒸発器との間に膨張弁として配されている。制御弁は、円筒状のローターケース２０内に配され後述する弁体ユニットを駆動する弁駆動部と、ローターケース２０の端部に連結され弁体２６の先端部で開閉される弁座３０Ｖを有する弁本体部３０と、弁本体部３０内に配され弁座３０Ｖを開閉する弁体２６を含んでなる弁体ユニットと、を含んで構成されている。
【００１３】
弁駆動部は、弁体ユニットを昇降動させる雄ネジ軸１４と、雄ネジ軸１４と嵌め合わされる雌ねじ部を有し弁体ユニットを昇降動可能に案内する案内支持部１２と、雄ねじ軸１４に固定され回転可能に支持され着磁されたロータ（不図示）と、ローターケース２０の外周部に配されロータを回転させるステータコイル（不図示）と、を主な要素として含んで構成されている。案内支持部１２は、弁体ユニットのケース１８を案内する案内面を内周部に有している。弁駆動部は、図示が省略される駆動制御部により供給される駆動パルス信号に基づいて制御される。
【００１４】
上述の弁体ユニットは、後述する弁座３０Ｖの流路３０Ｖａを開閉するニードル状の弁体２６と、雄ねじ軸１４のフランジ付連結端１４ａをワッシャ１６と協働してケース１８の一端部に保持するリテーナ部材２４と、リテーナ部材２４の一端と弁体２６の一端２６ＥＡの環状平坦部との間に配され、双方を互いに離隔する方向に付勢するコイルスプリング２２と、リテーナ部材２４、コイルスプリング２２、弁体２６の一端２６ＥＡを収容する円筒状のケース１８と、を主な要素として含んで構成されている。
【００１５】
円筒状のケース１８の一端は、弁体２６の一端２６ＥＡの外周部に嵌合されることにより、閉塞されている。円筒状のケース１８の他端は、フランジ付連結端１４ａが挿入される開口端部を有している。
【００１６】
ケース１８の開口端部の内周縁とフランジ付連結端１４ａのフランジとの間には、ワッシャ１６が配されている。また、フランジ付連結端１４ａの端面には、リテーナ部材２４の端面が当接されている。
【００１７】
円筒状のケース１８の外周部は、上述の案内支持部１２の案内面に摺接され昇降動可能に支持されている。これにより、弁体２６の他端２６ＥＢの最先端が、弁座３０Ｖの流路３０Ｖａに挿入されるとともに、後述の弁体２６の円錐面２６Ｅ２が尖頭部３０ＥＰに当接した後、引き続き雄ねじ軸１４が下降すると、コイルスプリング２２が圧縮される。それによって、ばね力により弁体２６の円錐面２６Ｅ２が尖頭部３０ＥＰに押し付けられる。これにより、弁座３０の流路３０Ｖａが、閉塞される。
【００１８】
弁体２６の他端２６ＥＢの先端部は、図１に部分的に拡大されて示されるように、弁座３０Ｖの流路３０Ｖａに挿入される先細状部を有している。その先細状部は、円錐面２６Ｅ２、２６Ｅ３，および、２６Ｅ４により形成されている。円錐面２６Ｅ２と円錐面２６Ｅ３とが交わる部分に形成される第１の縮径部２６ＥＰ１は、所定の頂角αを有する円錐面２６Ｅ２を介して他端２６ＥＢの外周面に連なっている。円錐面２６Ｅ２は、その円錐の母線の一部を形成する。第１の縮径部２６ＥＰ１の直径ＶＤは、流路３０Ｖａの内径ＰＤと略同一に設定されている。また、第１の縮径部２６ＥＰ１に連なり最先端に向けて延びる円錐面２６Ｅ３は、頂角αよりも小なる所定の頂角βを有している。円錐面２６Ｅ３と交わる円錐面２６Ｅ４は、頂角αよりも大なる頂角γを有している。円錐面２６Ｅ３と円錐面２６Ｅ４とが交わる部分には、円弧状の断面を有する凹部２６Ｒ１が環状に形成されている。さらに、円錐面２６Ｅ２と他端２６ＥＢの外周面とが交わる部分には、略Ｖ字状の断面を有する凹部２６Ｅ１が環状に形成されている。
【００１９】
弁本体部３０は、金属材料、例えば、真鍮、ステンレス鋼、アルミニウム合金、樹脂材料等により作られ、案内支持部１２の下端、弁体２６の他端２６ＥＢおよび円筒状のケース１８を収容する弁体収容部３０Ａを内側に有している。弁体収容部３０Ａには、弁体２６の他端２６ＥＢが突出している。また、弁体収容部３０Ａには、弁体２６の中心軸線に対し略直交する軸線上に第１の通路としての接続用パイプ３２の一端が接続される第１のポートとしてのポート３２Ｐと、弁体２６の中心軸線と共通の軸線上に第２の通路としての接続用パイプ３４の一端が接続される、第２のポートとしてのポート３４Ｐに隣接した弁座３０Ｖと、が形成されている。ポート３４Ｐの直径は、ポート３２Ｐの直径と略同一に設定されている。
【００２０】
上述の弁体２６の他端２６ＥＢの先端部に向かい合う弁座３０Ｖに形成される流路３０Ｖａの開口端周縁の流路を形成する面である横断面は、図１に部分的に拡大されて示されるように、漏斗状に弁座３０Ｖの平坦面に連なる湾曲面３０Ｅ２および３０Ｅ３と、流路３０Ｖａの内周部を形成する内周面３０Ｅ４と、から形成されている。流路３０Ｖａの直径は、ポート３４Ｐの直径よりも小に設定されている。弁座３０Ｖの平坦面は、弁体２６の他端２６ＥＢの中心軸線に対し直交するように形成されている。内周面３０Ｅ４は、弁体２６の他端２６ＥＢの中心軸線と平行に延びている。湾曲面３０Ｅ２および３０Ｅ３は、弁座３０Ｖの平坦面と内周面３０Ｅ４とを連結している。湾曲面３０Ｅ２の一方の端部と弁座３０Ｖの平坦面とが交わる部分には、略Ｖ字状の断面を有する凹部３０Ｅ１が、流路３０Ｖａの中心軸線の回りに環状に形成されている。湾曲面３０Ｅ２の他方の端部と内周面３０Ｅ４との交わる部分に円弧状の断面を有する凹部３０Ｒ１が、流路３０Ｖａの中心軸線の回りに環状に形成されている。湾曲面３０Ｅ２と湾曲面３０Ｅ３との境界部分の中間部分には、弁体２６が流路３０Ｖａに対し閉塞状態とされる場合、図１において二点鎖線で示されるように、弁体２６の円錐面２６Ｅ２が当接する尖頭部３０ＥＰが、流路３０Ｖａの中心軸線の回りの円周上に形成されている。
【００２１】
斯かる構成において、弁駆動部のステータコイルが駆動制御部からの駆動パルス信号により制御され、弁体２６が昇降動せしめられることにより、接続用パイプ３２または接続用パイプ３４を通じて供給される流体としての冷媒が、矢印Ｆまたは矢印Ｒの示す方向に沿って弁座３０Ｖの湾曲面３０Ｅ２から内周面３０Ｅ４に至る壁面と弁体２６の他端２６ＥＢの先細状部との間に形成される隙間流路を通じて所定の流量で通過することとなる。
【００２２】
その際、例えば、図３（Ａ）に部分的に拡大されて示されるように、流体が矢印Ｆの示す方向に流れる場合、凹部３０Ｒ１内において、矢印Ｆａの示す方向に自転する渦が、形成され、流体の一部の流れは、この渦によって見かけの粘性が高い乱流となる。これにより、湾曲面３０Ｅ３に沿った流体は、凹部３０Ｒ１近傍において渦表面の乱流境界層に沿って流れ、湾曲面３０Ｅ３から剥離せずに内周面３０Ｅ４に沿って流れる。凹部３０Ｅ１、弁体２６の他端２６ＥＢにおける凹部２６Ｅ１、凹部２６Ｒ１近傍においても、流体が同様な挙動となるので流体は、壁面から剥離せずに流れる。従って、流体の壁面からの剥離に起因する再付着が抑制されることにより騒音が低減される。
【００２３】
一方、例えば、図３（Ｂ）に部分的に拡大されて示されるように、流体が矢印Ｒの示す方向に流れる場合、凹部３０Ｒ１内において、矢印Ｆｂの示す方向に自転する渦が、形成され、流体の一部の流れは、この渦によって見かけの粘性が高い乱流となる。これにより、内周面３０Ｅ４に沿った流体は、凹部３０Ｒ１近傍において渦表面の乱流境界層に沿って流れ、内周面３０Ｅ４から剥離せずに湾曲面３０Ｅ３に沿って流れる。従って、流体が矢印Ｒの示す方向に流れる場合においても、流体は、壁面から剥離せずに流れ、流体の壁面からの剥離に起因する流体の再付着が抑制されることにより騒音が低減される。
【００２４】
図４は、本発明に係る制御弁の第２実施例に用いられる弁体の要部を拡大して示す。
【００２５】
図１に示される第１実施例においては、弁体２６の他端２６ＥＢは、２箇所に凹部２６Ｅ１、２６Ｒ１を有し、弁座３０Ｖは、２箇所に凹部３０Ｅ１、３０Ｒ１を有するものとされるが、その代わりに、図４に示される第２実施例においては、弁体３６の他端３６ＥＢは、３箇所に凹部３６Ｒ１、３６Ｒ２、および、３６Ｒ３を有し、弁座４０Ｖは、４箇所に凹部４０Ｅ１、４０Ｒ１、４０Ｒ２、および、４０Ｒ３を有するものとされる。
【００２６】
図４に示される例においても、制御弁は、例えば、空調装置における凝縮器と蒸発器との間に膨張弁として配されている。制御弁は、上述の円筒状のローターケース２０内に配され後述する弁体ユニットを駆動する弁駆動部と、ローターケース２０の端部に連結され弁体３６の先端部で開閉される弁座４０Ｖを有する弁本体部４０と、弁本体部４０内に配され弁座４０Ｖを開閉する弁体３６を含んでなる弁体ユニットと、を含んで構成されている。なお、ローターケース２０、弁駆動部は、それぞれ、上述した図２に示される例と同様な構成を有するのでその重複説明を省略する。
【００２７】
弁体３６の他端３６ＥＢの先端部は、図４に部分的に拡大されて示されるように、流路４４Ｐに挿入される先細状部を有している。その先細状部は、円錐面３６Ｅ１、３６Ｅ２、３６Ｅ３，および、３６Ｅ４により形成されている。円錐面３６Ｅ１と円錐面３６Ｅ２とが交わる部分に形成される第１の縮径部３６ＥＰ１は、所定の頂角αＡを有する円錐面３６Ｅ１、凹部３６Ｒ１を介して他端３６ＥＢの外周面に連なっている。円錐面３６Ｅ１は、その円錐の母線の一部を形成する。第１の縮径部３６ＥＰ１の直径ＶＤは、後述する流路４４Ｐの最小内径ＰＤと略同一に設定されている。また、第１の縮径部３６ＥＰ１に連なり最先端に向けて延びる円錐面３６Ｅ２は、頂角αＡよりも小なる所定の頂角βＡを有している。円錐面３６Ｅ２と交わる円錐面３６Ｅ３は、頂角βＡよりも大なる頂角γＡを有している。円錐面３６Ｅ３と交わる円錐面３６Ｅ４は、頂角γＡよりも大なる頂角δＡを有しており、円錐面３６Ｅ３と交わる部分には、円弧状の断面を有する凹部３６Ｒ３が環状に形成されている。このように円錐面３６Ｅ４がくびれ状に形成されているので流体が円錐面３６Ｅ４の最下端で整流化された状態となり、円錐面３６Ｅ４から流路４４Pの流れがスムーズになる。
【００２８】
円錐面３６Ｅ２と円錐面３６Ｅ３とが交わる部分には、円弧状の断面を有する凹部３６Ｒ２が環状に形成されている。さらに、円錐面３６Ｅ１と他端３６ＥＢの外周面とが交わる部分には、円弧状の断面を有する凹部３６Ｒ１が環状に形成されている。
【００２９】
弁本体部４０は、金属材料、例えば、真鍮、ステンレス鋼、アルミニウム合金、樹脂材料等により作られ、弁体３６の他端３６ＥＢを収容する弁体収容部４０Ａを内側に有している。弁体収容部４０Ａには、弁体３６の中心軸線に対し略直交する軸線上に第１の通路としての接続用パイプ３２の一端が接続される一方のポートと、弁体３６の中心軸線と共通の軸線上に第２の通路としての接続用パイプ３４の一端が接続される他方のポートと、が形成されている。
【００３０】
上述の弁体３６の他端３６ＥＢの先端部に向かい合う他方のポートに隣接した弁座４０Ｖに形成される流路４４Ｐの開口端周縁の横断面は、図４に示されるように、漏斗状に弁座４０Ｖの平坦面に連なる湾曲面４０Ｅ２および４０Ｅ３と、最小縮径面部４０Ｅ４と、末広ノズルの断面形状のように、後述する最大内径を有する内周面４０Ｅ８に向かうにつれて順次、徐々に拡大する拡大面４０Ｅ５、４０Ｅ６、４０Ｅ７と、流路４４Ｐの内周部を形成する内周面４０Ｅ８と、から形成されている。このように拡大面４０Ｅ５および拡大面４０Ｅ６が急拡大しないので縮流が抑制される。内周面４０Ｅ８の中心軸線は、弁体３６の他端３６ＥＢの中心軸線と共通の直線に沿って延びている。上述の弁座４０Ｖの平坦面は、弁体３６の他端３６ＥＢの中心軸線に対し直交するように形成されている。
【００３１】
湾曲面４０Ｅ２および４０Ｅ３は、弁座４０Ｖの平坦面と最小縮径面部４０Ｅ４とを連結している。湾曲面４０Ｅ１の一方の端部と弁座４０Ｖの平坦面とが交わる部分には、略Ｖ字状の断面を有する凹部４０Ｅ１が、流路４４Ｐの中心軸線の回りに環状に形成されている。
【００３２】
湾曲面４０Ｅ３の他方の端部と最小縮径面部４０Ｅ４の上端との交わる部分に円弧状の断面を有する凹部４０Ｒ１が、流路４４Ｐの中心軸線の回りに環状に形成されている。湾曲面４０Ｅ２と湾曲面４０Ｅ３との境界部分には、弁体３６が閉状態とされる場合、図４において二点鎖線で示されるように、弁体３６の円錐面３６Ｅ１が当接する尖頭部４０ＥＰが、流路４４Ｐの中心軸線の回りの円周上に形成されている。
【００３３】
最小縮径面部４０Ｅ４の下端と拡大面４０Ｅ５の一端とが交わる部分には、円弧状の断面を有する凹部４０Ｒ２が、流路４４Ｐの中心軸線の回りに環状に形成されている。凹部４０Ｒ２の断面の曲率半径は、凹部４０Ｒ１の断面の曲率半径よりも大に設定されている。さらに、拡大面４０Ｅ５の他端と拡大面４０Ｅ６の一端とが交わる部分には、円弧状の断面を有する凹部４０Ｒ３が、流路４４Ｐの中心軸線の回りに環状に形成されている。凹部４０Ｒ３の断面の曲率半径は、好ましくは、凹部４０Ｒ２の断面の曲率半径と略同一に設定されている。なお、凹部４０Ｒ３の断面の曲率半径が、凹部４０Ｒ２の断面の曲率半径と異なる値であっても良い。
【００３４】
斯かる構成において、弁駆動部のステータコイルが駆動制御部からの駆動パルス信号により制御され、弁体３６が昇降動せしめられることにより、接続用パイプ３２および３４を通じて供給される流体が、矢印Ｆまたは矢印Ｒの示す方向に沿って弁体３６の他端３６ＥＢの先細状部と弁座４０Ｖの最小縮径面部４０Ｅ４との間に形成される隙間流路を通じて所定の流量で通過することとなる。
【００３５】
その際、例えば、図４において、流体が矢印Ｆの示す方向に流れる場合、凹部４０Ｅ１，４０Ｒ１、４０Ｒ２，および、４０Ｒ３内において、所定の方向に自転する渦が、形成され、流体の一部の流れは、この渦によって見かけの粘性が高い乱流となる。これにより、湾曲面４０Ｅ２、４０Ｅ３付近の流体は、凹部４０Ｅ１，４０Ｒ１近傍において渦表面の乱流境界層に沿って流れ、湾曲面４０Ｅ２、４０Ｅ３から剥離せずに最小縮径面部４０Ｅ４に沿って流れる。凹部４０Ｒ２、凹部４０Ｒ３、弁体３６の他端３６ＥＢにおける凹部３６Ｒ１、凹部３６Ｒ２、凹部３６Ｒ３近傍においても、流体が同様な挙動となるので流体は、壁面から剥離せずに流れる。従って、流体の壁面からの剥離に起因する再付着が抑制されることにより騒音が低減される。
【００３６】
一方、例えば、流体が矢印Ｒの示す方向に流れる場合、凹部４０Ｒ３，４０Ｒ２，４０Ｒ１、および、４０Ｅ１内において、上述の方向とは逆方向に自転する渦が、形成され流体の一部の流れは、この渦によって見かけの粘性が高い乱流となる。これにより、湾曲面４０Ｅ３、４０Ｅ２に沿った流体は、凹部４０Ｒ１，４０Ｅ１近傍において、渦表面の乱流境界層に沿って流れ、湾曲面４０Ｅ３、４０Ｅ２から剥離せずに弁座上面の平坦面に沿って流れる。凹部４０Ｒ３、４０Ｒ２、弁体３６の他端３６ＥＢにおける凹部３６Ｒ３、凹部３６Ｒ２、凹部３６Ｒ１、近傍においても、流体が同様な挙動となる。従って、流体が矢印Ｒの示す方向に流れる場合においても、流体は、壁面から剥離せずに流れる。従って、流体の壁面からの剥離に起因する再付着が抑制されることにより騒音が低減される。
【００３７】
上述の本発明に係る制御弁の第１実施例および第２実施例において、略Ｖ字状および円弧状断面を有する凹部が全円周上に形成されているが、斯かる例に限られることなく、凹部は、上述の隙間流路を形成する隣接する壁面が交差する部分に、分散して互いに離隔するように、ディンプル状に形成されるものであってもよい。
【００３８】
また、上述の本発明に係る制御弁の第１実施例および第２実施例においては、電動式の弁駆動部を備えた制御弁に適用されているが、斯かる例に限られることなく、例えば、ねじ送り機構を手動で操作する手動式制御弁、あるいは、ソレノイドによって弁体を駆動する電磁式制御弁に適用されてもよい。さらに、上述の本発明に係る制御弁の第１実施例および第２実施例においては、流路３０Ｖａを内側に有する弁座３０Ｖが、ポート３４Ｐに隣接した弁本体部３０の内側の位置に別個に設けられているが、斯かる例に限られることなく、上述の凹部、拡大面が形成される流路を備える弁座が弁本体部３０と一体に形成されてもよいことは勿論である。
【符号の説明】
【００３９】
２６、３６    弁体
３０、４０    弁本体部
３０Ｖ、４０Ｖ    弁座
３４Ｐ、４４Ｐ    流路
２６Ｅ１、２６Ｒ１、３６Ｒ１、３６Ｒ２、３６Ｒ３    凹部
３０Ｅ１、３０Ｒ１、４０Ｅ１，４０Ｒ１、４０Ｒ２、４０Ｒ３    凹部
【図１】
2015143543.tif 000003
【図２】
2015143543.tif 000004
【図３】
2015143543.tif 000005
【図４】
2015143543.tif 000006